(57)【要約】【課題】  交互の柔軟および硬質層から構成され、クイックカップリングシステムを用いて支持体を挿入することができる複数の穴を有する様々な運動用の支持台を使用する。【解決手段】  積層プラットフォーム（１）を有し、前記プラットフォーム（１）にある孔（２）と取り外し可能に連携することができる複数の固定要素（３）が備え付けられ、前記連携は、前記孔（２）と前記固定要素（３）との上にそれぞれ位置した相互に接触する面（１０ｂ、３０ｂ）を合わせることによって可能である運動装置。【選択図】  図１
2016507325.tif 000002
【特許請求の範囲】
【請求項１】
積層プラットフォーム（１）と、複数の固定要素（３）とを有する運動装置であって、
前記積層プラットフォーム（１）は、少なくとも柔軟上層（１ａ）と少なくとも硬質下層（１ｂ）とから構成され、孔（２）を有し、
前記固定要素（３）は、一端（３ｂ）において前記プラットフォーム（１）の前記孔（２）と取り外し可能に接続することができ、
前記硬質下層（１ｂ）と前記固定要素（３）の前記一端（３ｂ）とは、前記プラットフォーム（１）と前記固定要素（３）との相互接続を可能にする合わせ面（１０ｂ，３０ｂ）を有し、
前記硬質下層（１ｂ）は、少なくとも積層木材からなることを特徴とする運動装置。
【請求項２】
前記孔（２）は、貫通孔ではないことを特徴とする請求項１に記載の運動装置。
【請求項３】
前記プラットフォーム（１）は、前記硬質下層（１ｂ）と連携し、前記プラットフォーム（１）が床に対して滑ることを防止する柔軟第三層（１ｃ）を少なくとも有することを特徴とする請求項１または２に記載の運動装置。
【請求項４】
前記第三層（１ｃ）と前記固定要素（３）の前記一端（３ｂ）とは、前記プラットフォーム（１）と前記固定要素（３）との相互接続を可能にする合わせ面（１０ｃ，３０ｂ）を有することを特徴とする請求項３に記載の運動装置。
【請求項５】
前記合わせ面（３０ｂ）は、成形突起物（４）を有することを特徴とする請求項１または４に記載の運動装置。
【請求項６】
前記合わせ面（１０ｂ）は、形状が前記成形突起物（４）と一致する窪み（５）を有することを特徴とする請求項５に記載の運動装置。
【請求項７】
前記合わせ面（１０ｃ）は、形状が前記成形突起物（４）と一致する窪み（６）を有することを特徴とする請求項５に記載の運動装置。
【請求項８】
前記一端（３ｂ）は、前記成形突起物（４）の上方に位置し、前記固定要素（３）がその位置を固定するように前記プラットフォーム（１）に固定されるときに、前記柔軟上層（１ａ）と接触するストッパ（４０）を有することを特徴とする請求項５に記載の運動装置。
【請求項９】
前記固定要素（３）は、硬質コア（７）と、様々な装置形状を創り出すように前記コア（７）と取り外し可能に連携することができる少なくとも１つの被覆要素（７ａ）とを有することを特徴とする請求項１または２に記載の運動装置。
【請求項１０】
前記硬質コア（７）は、複雑な構造を創り出すように、２以上の前記固定要素（３）の接続を可能にする横断穴（７ｂ）を有することを特徴とする請求項９に記載の運動装置。
【請求項１１】
前記柔軟上層（１ａ）と前記柔軟第三層（１ｃ）とは、少なくともＥＶＡ材質を有することを特徴とする請求項１または３に記載の運動装置。
【請求項１２】
前記積層プラットフォーム（１）は、移動および位置決めのため、前記装置（１１）の手動の把持を可能にする複数の貫通スロット（２０）を有することを特徴とする請求項１または３に記載の運動装置。
【請求項１３】
前記運動装置は、前記プラットフォーム（１）と前記固定要素（３）との手動接続位置を決定および安定させる弾性カップリングシステム（２３）を有することを特徴とする請求項１または３に記載の運動装置。
【請求項１４】
前記窪み（５；６）は、前記固定要素（３）の前記成形突起物（４）を妨げるための蝶型凹部（５１；６１）を有することを特徴とする請求項６または７に記載の運動装置。
【発明の詳細な説明】
【技術分野】
【０００１】
本発明は、スポーツ、トレーニング、身体的リハビリ活動、および、他の分野で使用可能な運動装置に関する。
【０００２】
現代において、これら活動の普及した性質は、社会的流行や、健康でいる、見た目が良い、心理的な幸福を達成する、といった広く渦巻く人々の欲望によって刺激されて、競争の激しいスポーツを著しく増加させている。しかしながら、結局のところ、これら活動の普及した性質によって、ますます幅広い人口統計上の集団における大勢の男女は、ジム、スポーツセンター、その他様々な組織に頻繁に通い、これらは、利用可能で高価なサービスを提供しつつ、同時にますます専門的なレベルへ進展している。
【０００３】
このような身体的運動活動の拡大は、スポーツ活動に基づく生理学的現象への深い分析と研究に支持されており、このことは、伝統的なものと比較して完全に創造的な特定の運動を行うための動作方法、機械、装置の概念へと繋がってくる。例えば、２０世紀初頭に発明された「ピラティス」のような少し前に開発されたトレーニングシステムでさえ、運動機械および装置に関係した新しい知見と革新に基づき、大いに再注目されつつある。
【背景技術】
【０００４】
これらの装置で最も基本的で普及しているものとして、「床」運動を行う人々の体を支えるために使用される厚薄のマットがある。はじめのうちは、当該マットが伝統的な材質からなることによって、体と剥き出しの床との接触を避けつつ、単にある一定の機械的、熱的絶縁性を保証していた。その後、使用中のより素晴らしい効果や快適さを保証することができるポリウレタン、ＥＶＡ、その他の発泡（泡状）プラスチック材質の登場までは、様々なタイプのゴム、スポンジ、パディングなど、より特定の材質が選択されてきた。
【０００５】
近年、このセクターの技術分野では、より技術的に発展した機器が広く行きわたり、パフォーマンスの幅を向上させ、かつ、広げることを可能にしている。
【０００６】
例えば、これについては、運動を行うための付属品とその上の成形部材との適用を可能にする貫通穴を有する柔軟性プラスチック素材製のマットが挙げられる。このようなマットの１つが、特許文献１に開示されているが、それには、いくつかの重要な限定が示されている。その限定の第一は、マットの上面に付けられた成形部材について、硬質な固定板が当該マットの下面に突き出ることによって、当該マットの平面性が変わる傾向にあることである。さらに、このような成形部材の着脱は、非常に面倒であり、特に装置が幅広い運動や様々な運動訓練に用いられる必要がある場合に、当該装置をあまり多目的でないようにしてしまう。
【０００７】
さらに、このようなマットは、通常、柔軟性材質で作製されるため、耐性のない当該マット上に曲げ応力を引き起こす可能性があり、握ったり押したりするための垂直なハンドルやロッドなどの背の高い付属品を支持することができない。
【０００８】
積層マットもまた床運動に用いることできる。積層マットは、組立全体の平面形状を保証することできる硬質層と、特に運動中の人の体と接触し快適さと安全を保証する柔軟層と、を有する。しかしながら、その場合、積層マットでは、特許文献２の実施例で記載されているように、付属品はマットに付けることができない。これは、当該セクターにおいて作業者が好んで求める多目的な使用に、このような装置をそぐわなくする限定を意味する。
【先行技術文献】
【特許文献】
【０００９】
【特許文献１】米国特許２０１０／０２９９８３３
【特許文献２】独国特許ＤＥ１０２０００１３
【発明の概要】
【発明が解決しようとする課題】
【００１０】
したがって、本発明の目的は、上述した限定および不具合を取り除くことである。
【００１１】
本発明は、その特徴は特許請求の範囲に記載され、その目的は、交互の柔軟および硬質層から構成され、クイックカップリングシステムを用いて支持体を挿入することができる複数の穴を有する様々な運動用の支持台を使用することによって達成される。
【００１２】
本発明の主な有利な点は、基本的に、台の厚み方向のスロットに付随した支持体の存在によって、台の安定性とユーザーへの最大限の快適さを保証することである。
【００１３】
本発明の別の有利な点は、クイックカップリングによる支持体とスロットとの連携によって、実施される運動に係る装置の構成を迅速かつ簡単に変化させることができ、これにより当該装置が特に多目的で実用的になることである。
【００１４】
本発明のさらなる有利な点は、台の形状によって、台を手動で動かすこと、および、台を限られたスペースに再配置することが容易になることである。
【００１５】
最後に、支持体の形状によって、支持体が、実施される運動により様々な外形を有する付属品と連携することが可能になる。
【図面の簡単な説明】
【００１６】
さらなる本発明の有利な点および特徴は、付随の図面を参考に、後述される詳細な記載においてより明らかである。当該図面は、本発明の範囲を限定しない好ましい態様を図示している。
【００１７】
【図１】図１は、本発明の組立斜視図である。
【図２】図２は、図１のＩＩ−ＩＩラインによる本発明の断面図であるが、より良く図示するためにいくつかの部分は切り取られている。
【図３】図３は、本発明の底面図であるが、より良く図示するためにいくつかの部分は切り取られている。
【図４】図４は、図３のＩＶ−ＩＶラインによる本発明の断面図である。
【図５】図５は、本発明の可能な他の態様の底面図であるが、より良く図示するためにいくつかの部分は切り取られている。
【図６】図６は、図５のＶＩ−ＶＩラインによる本発明の断面図である。
【図７】図７は、さらなる他の態様において、図４に示される断面図と同様の断面図である。
【図８】図８は、本発明の詳細な底面平面図である。
【図９】図９は、図８の詳細な斜視図である。
【発明を実施するための形態】
【００１８】
運動装置は、ユーザーをサポートするための積層プラットフォーム１を有し、少なくとも柔軟上層１ａと少なくとも硬質下層１ｂとからなり、プラットフォーム１を固定するための複数の固定要素３が上部から挿入可能な孔２を備える。固定要素３は、プラットフォーム１の下方に突出することなく、一端３ｂにおいて、孔２に取り外し可能に接続することができる。
【００１９】
プラットフォーム１と固定要素３との手動の接続は、図５および図６に示されるように、プラットフォーム１の硬質下層１ｂ上と固定要素３の一端３ｂ上とにそれぞれ位置した対応面１０ｂ，３０ｂ同士を接触させ、孔２内で固定要素３を回転させて行う。
【００２０】
明らかなことだが、孔２は、図１から図６に示されるように、貫通孔であってもよいし、図７に示されるように、固定要素３の一端３ｂがプラットフォーム１の下方に突き出なければ、いずれにせよ、貫通孔でなくてもよい。
【００２１】
本発明の好ましい態様においては、図１〜４および図７に示されるように、プラットフォーム１は、柔軟第三層１ｃを有する。柔軟第三層１ｃは、硬質下層１ｂと連携し、プラットフォーム１が床に対して滑ることを防止する。この場合、プラットフォーム１と固定要素３との手動の接続は、図７に示されるように、第三層１ｃ上と固定要素３の一端３ｂ上とにそれぞれ位置した対応面１０ｃ，３０ｂ同士を接触させることにより行う。図２および図４に示されるように、硬質下層１ｂの面１０ｂもまた、その接触に連携してもよい。
【００２２】
いずれの場合においても、上記接触と連携する対応面１０ｂ，１０ｃ，３０ｂは、部分的にプラットフォーム１上に位置し、部分的に固定要素３上に位置する。すなわち、面１０ｂ，１０ｃは、成形突起物４に合致するように成形された窪み５，６に係わるのに対して、面３０ｂは、固定要素３に関し、該固定要素３の一端３ｂに存在する成形突起物４上に位置する。図５および図６で示される態様においては、窪み５は、硬質下層１ｂ中に形成される。プラットフォーム１が三層１ａ，１ｂ，１ｃを有する本発明の好ましい態様においては、図７に示されるように、窪み６は、第三層１ｃ中に形成することができる。もしくは、窪み６は、図２および図４に示されるように、硬質下層１ｂと第三層１ｃとの両方に及んでもよい。プラットフォーム１が三層１ａ，１ｂ，１ｃを有する場合である図８および図９は、成形突起物４を収納する窪み５；６の好ましい態様を示している。図８および図９では、窪み５；６が、どのように蝶型凹部５１；６１を構成するのかについて示される。蝶型凹部５１；６１の壁は、固定要素３の成形突起物４を妨げるのに好適であり、旋盤の回転に追従する。蝶型凹部５１；６１の形状は、固定要素３の成形突起物４が対称に回転するように、プラットフォーム１の孔２の向きに対して、対称となるのが好ましい。
【００２３】
固定要素３の一端３ｂはまたストッパ４０を有する。ストッパ４０は、成形突起物４の上方に位置し、運動中の安定性を向上させるべく、固定要素３がプラットフォーム１に接続される際に柔軟上層１ａと接触するのに好適である。
【００２４】
固定要素３は、硬質コア７と、少なくとも１つの被覆要素７ａとを有する。被覆要素７ａは、柔軟性被覆スリーブ、中実成形部材、あるいは、特定の運動を行うための特別な成形部材であってよく、様々な装置形状を創り出すようにコア７と取り外し可能に連携することができる。さらに、硬質コア７は、横断穴７ｂを有してもよい。横断穴７ｂは、複雑な構造を創り出すように、２以上の固定要素３の回転を可能にすべく用いることができる。
【００２５】
柔軟上層１ａおよび柔軟第三層１ｃは、好ましくはＥＶＡ発泡プラスチック素材からなるのに対し、プラットフォーム１の硬質下層１ｂは、好ましくは積層木材からなる。
【００２６】
積層プラットフォーム１は、複数の貫通スロット２０をまた有する。貫通スロット２０は、装置１１の移動および位置決めのための簡単な手動の把持を可能にする。
【００２７】
装置１１は、プラットフォーム１と固定要素３との相互接続位置を決定、安定化するのに好適な弾性カップリングシステム２３を有する。ある可能な態様においては、図３〜６に概要が図示されるように、弾性カップリングシステム２３は、少なくとも一つのボール４ａと、凹み５ａ；６ａとを有する。ボール４ａは、成形突起物４内のブラインド穴４ｃに収容され、バネ４ｂによって旋盤の表面に向かって押し出される。凹み５ａ；６ａは、ボール４ａが所定の接続位置にある凹み５ａ；６ａに係合するように、窪み５；６内に補完的に位置するよう成形される。
【図１】
2016507325.tif 000003
【図２】
2016507325.tif 000004
【図３】
2016507325.tif 000005
【図４】
2016507325.tif 000006
【図５】
2016507325.tif 000007
【図６】
2016507325.tif 000008
【図７】
2016507325.tif 000009
【図８】
2016507325.tif 000010
【図９】
2016507325.tif 000011
【国際調査報告】
2016507325.tif 000012
2016507325.tif 000013
2016507325.tif 000014